(57)【要約】【課題】素材の歩留まりを向上させると共に、加工工程数を削減して低コスト化を図った車輪用軸受装置およびその製造方法を提供する。【解決手段】車体取付フランジ７の周方向の複数の部位に、ナックルに締結される固定ボルト１６が挿通されるボルト挿通孔７ａが形成され、外方部材２が予め熱間鍛造により形成されると共に、車体取付フランジ７のアウター側の側面１０とボルト挿通孔７ａが冷間鍛造により形成されているので、所望の仕上げ精度を確保することができると共に、車体取付フランジ７のアウター側の側面１０と穴開け工程の機械加工を廃止することができるため、素材の歩留まりを向上させると共に、加工工程数を削減して低コスト化を図った車輪用軸受装置を提供することができる。【選択図】図３
2013223869.tif 000002
【特許請求の範囲】
【請求項１】
外周にナックルに取り付けられるための車体取付フランジを一体に有し、内周に複列の外側転走面が一体に形成された外方部材と、
外周に前記複列の外側転走面に対向する複列の内側転走面が設けられた内方部材と、
この内方部材と前記外方部材の両転走面間に保持器を介して転動自在に収容された複列の転動体とを備えた車輪用軸受装置において、
前記車体取付フランジの周方向の複数の部位に、前記ナックルに締結される固定ボルトが挿通されるボルト挿通孔が形成され、前記外方部材が予め熱間鍛造により形成されると共に、前記車体取付フランジのアウター側の側面に前記固定ボルトの座面が冷間鍛造により形成されていることを特徴とする車輪用軸受装置。
【請求項２】
前記車体取付フランジのボルト挿通孔が冷間鍛造によって形成されている請求項１に記載の車輪用軸受装置。
【請求項３】
前記ボルト挿通孔のアウター側の周縁に面取り部が設けられ、この面取り部が冷間鍛造によって形成されている請求項１または２に記載の車輪用軸受装置。
【請求項４】
前記車体取付フランジのアウター側の側面の表面粗さがＲａ６．３以下に設定されている請求項１または２に記載の車輪用軸受装置。
【請求項５】
外周にナックルに取り付けられるための車体取付フランジを一体に有し、内周に複列の外側転走面が一体に形成された外方部材と、
外周に前記複列の外側転走面に対向する複列の内側転走面が設けられた内方部材と、
この内方部材と前記外方部材の両転走面間に保持器を介して転動自在に収容された複列の転動体とを備えた車輪用軸受装置の製造方法において、
前記車体取付フランジの周方向の複数の部位に、前記ナックルに締結される固定ボルトが挿通されるボルト挿通孔が形成され、前記外方部材が熱間鍛造により形成されると共に、その後前記車体取付フランジのアウター側の側面に前記固定ボルトの座面が冷間鍛造により形成されていることを特徴とする車輪用軸受装置の製造方法。
【請求項６】
前記ボルト挿通孔が冷間鍛造にて形成されている請求項５に記載の車輪用軸受装置の製造方法。
【請求項７】
前記車体取付フランジの外郭に支持治具を位置合わせした状態で、前記ボルト挿通孔が穴開け治具によって複数同時に冷間鍛造にて形成されている請求項５または６に記載の車輪用軸受装置の製造方法。
【発明の詳細な説明】
【技術分野】
【０００１】
本発明は、自動車等の車輪を回転自在に支承する車輪用軸受装置、特に、素材の歩留まりを向上させると共に、加工工程数を削減して低コスト化を図った車輪用軸受装置およびその製造方法に関するものである。
【背景技術】
【０００２】
車輪用軸受装置には、懸架装置を構成するナックルとハブ輪との間に複列アンギュラ玉軸受等からなる車輪用軸受を嵌合させた第１世代と称される構造から、外方部材の外周に直接車体取付フランジまたは車輪取付フランジが形成された第２世代構造、また、ハブ輪の外周に一方の内側転走面が直接形成された第３世代構造、あるいは、ハブ輪と等速自在継手の外側継手部材の外周にそれぞれ内側転走面が直接形成された第４世代構造とに大別されている。
【０００３】
近年、省資源あるいは公害等の面から燃費向上に対する要求は厳しいものがある。自動車部品において、中でも車輪軸受装置の軽量化はこうした要求に応える要因として注目され、強く望まれて久しい。特に、強度・剛性を保ったまま軽量化することが課題となっている。こうした課題を解決するものとして、図５に示す車輪用軸受装置５０が提案されている。
【０００４】
この車輪用軸受装置５０は従動輪側の第３世代と称され、ハブ輪５１と内輪５２と外方部材５３、および複列のボール５４、５４とを備えている。ハブ輪５１は、その一端部に車輪（図示せず）を取り付けるための車輪取付フランジ５５を一体に有し、外周に内側転走面５１ａと、この内側転走面５１ａから軸方向に延びる小径段部５１ｂが形成されている。また、車輪取付フランジ５５の円周等配位置には車輪を固定するためのハブボルト５５ａが植設されている。
【０００５】
ハブ輪５１の小径段部５１ｂには、外周に内側転走面５２ａが形成された内輪５２が圧入されている。そして、ハブ輪５１の小径段部５１ｂの端部を径方向外方に塑性変形させて形成した加締部５１ｃにより、ハブ輪５１に対して内輪５２が軸方向へ抜けるのを防止している。
【０００６】
外方部材５３は、外周にナックル（図示せず）に取り付けられるための車体取付フランジ５３ｂを一体に有し、内周に複列の外側転走面５３ａ、５３ａが形成されている。この複列の外側転走面５３ａ、５３ａと対向する内側転走面５１ａ、５２ａの間には複列のボール５４、５４が転動自在に収容されている。
【０００７】
外方部材５３の車体取付フランジ５３ｂには、図６に示すように、車体に取り付けるためのボルトが挿通される複数のボルト挿通孔５６、５７が形成されている。このボルト挿通孔５６、５７は計４つとされ、上部（例えば、最上部から角度にして６０°程度下がった位置）に２つ（符号５６）、下部（例えば、最下部から角度にして４５°程度上がった位置）に２つ（符号５７）配されている。
【０００８】
これらボルト挿通孔５６、５７において、上部のボルト挿通孔５６と下部のボルト挿通孔５７との間にある部分および下部の２つのボルト挿通孔５７の間にある部分５８は、ボルト挿通孔５６、５７の周縁部５９と同じ厚みのままとされ、車体取付フランジ５３ｂの上下部分５８が前後部分６０に比べて相対的に厚肉とされている。
【０００９】
また、ボルト挿通孔の数が３つで、その位置が最上部を挟む上側に２ヶ所および最下部近傍に１ヶ所である場合、ボルト挿通孔の周縁部は薄肉とされることなく、上側のボルト挿通孔よりも下側の部分が薄肉とされている。
【００１０】
この種の車輪用軸受装置５０には、垂直荷重、横荷重および前後荷重が作用し、このうち、横荷重が作用した時に車体取付フランジ５３ｂの上下部分が受けるモーメントが最も大きいものとなっているため、車体取付フランジ５３ｂの上下部分５８を相対的に厚肉として強度・剛性を向上させると共に、作用するモーメントが相対的に小さい車体取付フランジ５３ｂの前後部分６０は、上下部分５８と同じ強度・剛性を必要としないため、相対的に薄肉として軽量化を図ることができる。これにより、強度・剛性と軽量化とを高いレベルでバランスさせることができる（例えば、特許文献１参照。）。
【先行技術文献】
【特許文献】
【００１１】
【特許文献１】特開２００７−７１３５２号公報
【発明の概要】
【発明が解決しようとする課題】
【００１２】
こうした従来の車輪用軸受装置５０において、車体取付フランジ５３ｂのボルト挿通孔５６、５７はタップ穴ではなく通し穴で、外方部材５３をナックルに固定する場合、固定ボルト（図示せず）を外方（車輪取付フランジ５５側）からボルト挿通孔５６、５７に挿入して締結することになる。この場合、図７に示すように、取付精度を向上させるために車体取付フランジ５３ｂの外方側の側面６１にボルト座面６２が必要となる。
【００１３】
外方部材５３は、図８に示すように、熱間鍛造（図中２点鎖線にて示す）後にボルト座面６２を旋削加工（図中１点鎖線にて示す）によって形成し、ドリル等の穴開け治具を用いて穴開け加工を行う。その後、旋削加工によって面取り部６３が形成されると共に、車体取付フランジ５３ｂの内方（反車輪取付フランジ５５側）の側面６４、パイロット部６５および外側転走面５３ａ等が形成される。
【００１４】
このように、ボルト座面６２は旋削加工によって形成されるが、この加工の際に外方部材５３をチャックし直す必要があり、加工工程が多くなりサイクルタイムが嵩んで製造コストが高騰するという課題があった。
【００１５】
本発明は、このような事情に鑑みてなされたもので、素材の歩留まりを向上させると共に、加工工程数を削減して低コスト化を図った車輪用軸受装置およびその製造方法を提供することを目的としている。
【課題を解決するための手段】
【００１６】
係る目的を達成すべく、本発明のうち請求項１に記載の発明は、外周にナックルに取り付けられるための車体取付フランジを一体に有し、内周に複列の外側転走面が一体に形成された外方部材と、外周に前記複列の外側転走面に対向する複列の内側転走面が設けられた内方部材と、この内方部材と前記外方部材の両転走面間に保持器を介して転動自在に収容された複列の転動体とを備えた車輪用軸受装置において、前記車体取付フランジの周方向の複数の部位に、前記ナックルに締結される固定ボルトが挿通されるボルト挿通孔が形成され、前記外方部材が予め熱間鍛造により形成されると共に、前記車体取付フランジのアウター側の側面に前記固定ボルトの座面が冷間鍛造により形成されている。
【００１７】
このように、外周にナックルに取り付けられる車体取付フランジを一体に有し、内周に複列の外側転走面が一体に形成された外方部材を備えた第２乃至第４世代構造の車輪用軸受装置において、車体取付フランジの周方向の複数の部位に、ナックルに締結される固定ボルトが挿通されるボルト挿通孔が形成され、外方部材が予め熱間鍛造により形成されると共に、車体取付フランジのアウター側の側面に固定ボルトの座面が冷間鍛造により形成されているので、所望の仕上げ精度を確保することができると共に、車体取付フランジのアウター側の側面の旋削工程を廃止することができるため、素材の歩留まりを向上させると共に、加工工程数を削減して低コスト化を図った車輪用軸受装置を提供することができる。
【００１８】
好ましくは、請求項２に記載の発明のように、前記車体取付フランジのボルト挿通孔が冷間鍛造によって形成されていれば、機械加工による穴開け工程を廃止することができ、加工工程数を削減して一層低コスト化を図ることができる。
【００１９】
また、請求項３に記載の発明のように、前記ボルト挿通孔のアウター側の周縁に面取り部が設けられ、この面取り部が冷間鍛造によって形成されていれば、加工工程数を削減して一層低コスト化を図ることができる。
【００２０】
また、請求項４に記載の発明のように、前記車体取付フランジのアウター側の側面の表面粗さがＲａ６．３以下に設定されていれば、固定ボルトの傾きを防止して取付精度が向上する。
【００２１】
本発明のうち請求項５に記載の方法発明は、外周にナックルに取り付けられるための車体取付フランジを一体に有し、内周に複列の外側転走面が一体に形成された外方部材と、外周に前記複列の外側転走面に対向する複列の内側転走面が設けられた内方部材と、この内方部材と前記外方部材の両転走面間に保持器を介して転動自在に収容された複列の転動体とを備えた車輪用軸受装置の製造方法において、前記車体取付フランジの周方向の複数の部位に、前記ナックルに締結される固定ボルトが挿通されるボルト挿通孔が形成され、前記外方部材が熱間鍛造により形成されると共に、その後前記車体取付フランジのアウター側の側面に前記固定ボルトの座面が冷間鍛造により形成されているので、素材の歩留まりを向上させると共に、加工工程数を削減して低コスト化を図った車輪用軸受装置を提供することができる。
【００２２】
また、請求項６に記載の発明のように、前記ボルト挿通孔が冷間鍛造にて形成されていれば、加工工程数を削減して一層低コスト化を図ることができる。
【００２３】
また、請求項７に記載の発明のように、前記車体取付フランジの外郭に支持治具を位置合わせした状態で、前記ボルト挿通孔が穴開け治具によって複数同時に冷間鍛造にて形成されていれば、ボルト挿通孔の寸法精度だけでなく、相対位置精度を向上させることができる。
【発明の効果】
【００２４】
本発明に係る車輪用軸受装置は、外周にナックルに取り付けられるための車体取付フランジを一体に有し、内周に複列の外側転走面が一体に形成された外方部材と、外周に前記複列の外側転走面に対向する複列の内側転走面が設けられた内方部材と、この内方部材と前記外方部材の両転走面間に保持器を介して転動自在に収容された複列の転動体とを備えた車輪用軸受装置において、前記車体取付フランジの周方向の複数の部位に、前記ナックルに締結される固定ボルトが挿通されるボルト挿通孔が形成され、前記外方部材が予め熱間鍛造により形成されると共に、前記車体取付フランジのアウター側の側面に前記固定ボルトの座面が冷間鍛造により形成されているので、所望の仕上げ精度を確保することができると共に、車体取付フランジのアウター側の側面の旋削工程を廃止することができるため、素材の歩留まりを向上させると共に、加工工程数を削減して低コスト化を図った車輪用軸受装置を提供することができる。
【図面の簡単な説明】
【００２５】
【図１】本発明に係る車輪用軸受装置の一実施形態を示す縦断面図である。
【図２】図１の外方部材単体を示す縦断面図である。
【図３】図２の外方部材の加工工程を示す説明図である。
【図４】図２の外方部材を示す側面図である。
【図５】従来の車輪用軸受装置を示す縦断面図である。
【図６】図５の外方部材単体を示す斜視図である。
【図７】図５の外方部材単体を示す縦断面図である。
【図８】図７の外方部材の加工工程を示す説明図である。
【発明を実施するための形態】
【００２６】
外周にナックルに取り付けられるための車体取付フランジを一体に有し、内周に複列の外側転走面が一体に形成された外方部材と、一端部に車輪を取り付けるための車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなる内方部材と、この内方部材と前記外方部材の両転走面間に保持器を介して転動自在に収容された複列の転動体とを備え、前記小径段部の端部を径方向外方に塑性変形させて形成した加締部により所定の軸受予圧が付与された状態で、前記内輪が軸方向に固定された車輪用軸受装置において、前記車体取付フランジの周方向の複数の部位に、前記ナックルに締結される固定ボルトが挿通されるボルト挿通孔が形成され、前記外方部材が予め熱間鍛造により形成されると共に、前記車体取付フランジのアウター側の側面と前記ボルト挿通孔が冷間鍛造により形成されている。
【実施例】
【００２７】
以下、本発明の実施の形態を図面に基づいて詳細に説明する。
図１は、本発明に係る車輪用軸受装置の一実施形態を示す縦断面図、図２は、図１の外方部材単体を示す縦断面図、図３は、図２の外方部材の加工工程を示す説明図、図４は、図２の外方部材を示す側面図である。なお、以下の説明では、車両に組み付けた状態で車両の外側寄りとなる側をアウター側（図１の左側）、中央寄り側をインナー側（図１の右側）という。
【００２８】
図１に示す車輪用軸受装置は第３世代と呼称される従動輪用であって、内方部材１と外方部材２、および両部材１、２間に転動自在に収容された複列の転動体（ボール）３、３とを備えている。内方部材１は、ハブ輪４と、このハブ輪４に所定のシメシロを介して圧入された内輪５とからなる。
【００２９】
ハブ輪４は、アウター側の端部に車輪（図示せず）を取り付けるための車輪取付フランジ６を一体に有し、外周に一方（アウター側）の内側転走面４ａと、この内側転走面４ａから軸方向に延びる小径段部４ｂが形成されている。車輪取付フランジ６にはハブボルト６ａが周方向等配に植設されている。
【００３０】
内輪５は、外周に他方（インナー側）の内側転走面５ａが形成され、ハブ輪４の小径段部４ｂに圧入されて背面合せタイプの複列アンギュラ玉軸受を構成すると共に、小径段部４ｂの端部を塑性変形させて形成した加締部４ｃによって所定の軸受予圧が付与された状態で、ハブ輪４に対して内輪５が軸方向に固定されている。なお、内輪５および転動体３はＳＵＪ２等の高炭素クロム鋼で形成され、ズブ焼入れによって芯部まで５８〜６４ＨＲＣの範囲に硬化処理されている。
【００３１】
ハブ輪４はＳ５３Ｃ等の炭素０．４０〜０．８０ｗｔ％を含む中高炭素鋼で形成され、内側転走面４ａをはじめ、車輪取付フランジ６のインナー側の基部６ｂから小径段部４ｂに亙って高周波焼入れによって表面硬さを５８〜６４ＨＲＣの範囲に硬化処理が施されている。なお、加締部４ｃは鍛造加工後の表面硬さのままの未焼入れ部とされている。これにより、車輪取付フランジ６に負荷される回転曲げ荷重に対して充分な機械的強度を有し、内輪５の嵌合部となる小径段部４ｂの耐フレッティング性が向上すると共に、微小なクラック等の発生がなく加締部４ｃの塑性加工をスムーズに行うことができる。
【００３２】
外方部材２は、外周にナックル（図示せず）に取り付けられるための車体取付フランジ７を一体に有し、この車体取付フランジ７の周方向にナックルに締結する固定ボルト（図示せず）が挿通される複数のボルト挿通孔７ａが形成されると共に、内周に内方部材１の複列の内側転走面４ａ、５ａに対向する複列の外側転走面２ａ、２ａが一体に形成されている。これら両転走面間に複列の転動体３、３が収容され、保持器８、８によって転動自在に保持されている。そして、外方部材２と内方部材１との間に形成される環状空間の開口部にはシール９とカバー（図示せず）が装着され、軸受内部に封入されたグリースの外部への漏洩と、外部から雨水やダスト等が軸受内部に侵入するのを防止している。
【００３３】
外方部材２はＳ５３Ｃ等の炭素０．４０〜０．８０ｗｔ％を含む中高炭素鋼で形成され、少なくとも複列の外側転走面２ａ、２ａが高周波焼入れによって表面硬さを５８〜６４ＨＲＣの範囲に硬化処理が施されている。なお、ここでは、転動体３にボールを使用した複列アンギュラ玉軸受で構成された車輪用軸受装置を例示したが、これに限らず、転動体３に円錐ころを使用した複列円錐ころ軸受で構成されていても良い。また、従動輪側の第３世代構造に限らず、第２世代あるいは第４世代構造であっても良い。
【００３４】
ここで、外方部材２は、図２に示すように、車体取付フランジ７をはじめ外郭面が予め熱間鍛造によって形成されると共に、車体取付フランジ７のアウター側の側面（ボルト座面）１０とボルト挿通孔７ａおよび面取り部７ｂが冷間鍛造によって形成されている。その後、複列の外側転走面２ａ、２ａとシール嵌合面１１、１２およびナックル（図示せず）に当接されるパイロット部１３と車体取付フランジ７のインナー側の側面１４が旋削加工によって形成されている。
【００３５】
具体的には、図３に示すように、外方部材２の外郭面のうち車体取付フランジ７のアウター側の外周面１５が鍛造肌状態（図中２点鎖線にて示す）で、アウター側から挿入される固定ボルト１６の座面となる車体取付フランジ７のアウター側の側面（ボルト座面）１０とボルト挿通孔７ａおよび面取り部７ｂは冷間鍛造肌状態（図中破線にて示す）となる。また、複列の外側転走面２ａ、２ａとシール嵌合面１１、１２およびナックル（図示せず）に当接されるパイロット部１３と車体取付フランジ７のインナー側の側面１４が旋削肌状態（図中１点鎖線）となる。
【００３６】
このように、本実施形態では、車体取付フランジ７のアウター側の側面（ボルト座面）１０とボルト挿通孔７ａおよび面取り部７ｂが冷間鍛造によって形成されているので、所望の仕上げ精度を確保することができると共に、車体取付フランジ７のアウター側の側面（ボルト座面）１０の旋削工程、ボルト挿通孔７ａの穴開け工程、および面取り部７ｂの旋削加工を廃止することができるため、素材の歩留まりを向上させると共に、加工工程数を削減して低コスト化を図った車輪用軸受装置を提供することができる。
【００３７】
ここで、車体取付フランジ７のアウター側の側面（ボルト座面）１０の表面粗さは、旋削加工の粗さレベルのＲａ６．３以下に設定されている。これにより、固定ボルト１６の傾きを防止して取付精度が向上する。なお、Ｒａは、ＪＩＳの粗さ形状パラメータの一つで（ＪＩＳ  Ｂ０６０１−１９９４）、算術平均粗さのことで、平均線から絶対値偏差の平均値を言う。
【００３８】
また、本実施形態では、ボルト挿通孔７ａを冷間鍛造にて形成する際、図４に示すように、車体取付フランジ７の外郭に支持治具を位置合わせした状態で、複数（ここでは、４個）のボルト挿通孔７ａを穴開け治具（図示せず）によって同時に形成されている。これにより、ボルト挿通孔７ａの寸法精度だけでなく、相対位置精度を向上させることができる。
【００３９】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４０】
本発明に係る車輪用軸受装置は、駆動輪用、従動輪用に拘わらず、外方部材の外周に車体取付フランジを一体に有する第２乃至第４世代構造の車輪用軸受装置に適用することができる。
【符号の説明】
【００４１】
１  内方部材
２  外方部材
２ａ  外側転走面
３  転動体
４  ハブ輪
４ａ、５ａ  内側転走面
４ｂ  小径段部
４ｃ  加締部
５  内輪
６  車輪取付フランジ
６ａ  ハブボルト
６ｂ  基部
７  車体取付フランジ
７a  ボルト挿通孔
７ｂ  面取り部
８  保持器
９  シール
１０  ボルト挿通孔周縁のアウター側の側面（ボルト座面）
１１、１２  シール嵌合面
１３  パイロット部
１４  車体取付フランジのインナー側の側面
１５  アウター側の外周面
１６  固定ボルト
５０  車輪用軸受装置
５１  ハブ輪
５１ａ、５２ａ  内側転走面
５１ｂ  小径段部
５１ｃ  加締部
５２  内輪
５３  外方部材
５３ａ  外側転走面
５３ｂ  車体取付フランジ
５４  ボール
５５  車輪取付フランジ
５５ａ  ハブボルト
５６、５７  ボルト挿通孔
５８  車体取付フランジの上下部分
５９  ボルト挿通孔の周縁部
６０  車体取付フランジの前後部分
６１  車体取付フランジの外方側の側面
６２  ボルト座面
６３  面取り部
６４  車体取付フランジの内方側の側面
６５  パイロット部
【図１】
2013223869.tif 000003
【図２】
2013223869.tif 000004
【図３】
2013223869.tif 000005
【図４】
2013223869.tif 000006
【図５】
2013223869.tif 000007
【図６】
2013223869.tif 000008
【図７】
2013223869.tif 000009
【図８】
2013223869.tif 000010